(57)【特許請求の範囲】
【請求項１】
可搬式水中回転機械の提手において、下部金型と第１の上部金型との対向面間に空気が溜まらないように金型の排気口から排気させながら金型の注入口より樹脂を注入して、該提手の外郭と樹脂製握部内に鞍形または逆鞍形に曲成されたＩＣタグの装着空間部を樹脂成形し、該樹脂の固化を待って上記第１の上部金型を離型してＩＣタグの装着空間部内に、該ＩＣタグの下面全体が相手面に密接するように装着させ、下部金型に第２の上部金型を取付けて金型の注入口より金型内部に空気が溜まらないように金型の排気口から排気させながら樹脂を注入し、該樹脂の固化を待って下部金型と第２の上部金型を離型することで、鞍形または逆鞍形に曲成されたＩＣタグが、樹脂製握部の長手方向に沿って内蔵された状態により、樹脂によって水密状に且つ強固に一体成形されているとを特徴とする、可搬式水中回転機械の提手。
【請求項２】
前記ＩＣタグが、樹脂製握部の長手方向に沿って傾斜状に内蔵されていることを特徴とする、請求項１記載の可搬式水中回転機械の提手。
【発明の詳細な説明】
【技術分野】
【０００１】
本発明は、可搬式水中回転機械、特にレンタル用水中ポンプにおける、提手の構造に関するものである。
【背景技術】
【０００２】
マンホール蓋などの蓋体に、管理情報を入力したＩＣタグを装着することは既に行われている(例えば、特許文献１参照）。装着スペースを広く確保できるマンホール蓋などでは、アンテナ面積の大きなＩＣタグを装備することが容易である。しかしレンタル用の可搬式水中ポンプのように、広い装着スペースを確保できない物品では、表面積の大きなＩＣタグが使用できなため、例えば管理札を水中ポンプの提手にワイヤーでぶら下げたり、或いは提手の上面に装着するなどの方法が採られており、工事現場での過酷な使用によって管理札の破損や紛失を生じ、或いは泥やセメント等による汚損等により、レンタル管理に必要な標記情報が得られなくなるというおそれがある。
【特許文献１】特開２００１−１３２００２号公報（要約）
【発明の開示】
【発明が解決しようとする課題】
【０００３】
解決しようとする課題は、広い装着スペースを確保できないとされていた可搬式水中回転機械、特に工事用レンタル水中ポンプにおいて、比較的アンテナ面積が大きく所要感度の得られるＩＣタグが水密状に且つ強固に内蔵されて、工事現場での過酷な使用においてもＩＣタグの破損や紛失を生じることがなく、また、泥やセメント等による汚損等においても、レンタル管理に必要な情報が損われることのない、可搬式水中回転機械の提手を提供することにある。
【課題を解決するための手段】
【０００４】
本発明では、可搬式水中回転機械の提手において、下部金型と第１の上部金型との対向面間に空気が溜まらないように金型の排気口から排気させながら金型の注入口より樹脂を注入して、該提手の外郭と樹脂製握部内に鞍形または逆鞍形に曲成されたＩＣタグの装着空間部を樹脂成形し、該樹脂の固化を待って上記第１の上部金型を離型してＩＣタグの装着空間部内に、該ＩＣタグの下面全体が相手面に密接するように装着させ、下部金型に第２の上部金型を取付けて金型の注入口より金型内部に空気が溜まらないように金型の排気口から排気させながら樹脂を注入し、該樹脂の固化を待って下部金型と第２の上部金型を離型することで、鞍形または逆鞍形に曲成されたＩＣタグが、樹脂製握部の長手方向に沿って内蔵された状態により、樹脂によって水密状に且つ強固に一体成形されていることを最も主要な特徴とする。
【発明の効果】
【０００５】
本発明によれば、ＩＣタグが鞍形または逆鞍形に曲成された状態で提手の樹脂製握部内に内蔵されているため、同一巾の平板状のＩＣタグよりも表面積を大きくすることができると共に、樹脂によって水密状に且つ強固にモールドされることにより、工事現場での過酷な使用においてもＩＣタグの破損や紛失を生じることがなく、また、泥やセメント等による汚損等においても、レンタル管理に必要な情報が損われることはない。また、ＩＣタグを樹脂製握部の長手方向に沿って傾斜状に内蔵させることにより、成形時に注入口より樹脂を注入するのに伴い金型内部の空気は上傾端部付近の排気口より排気せられ、空気溜りの存在しない状態で樹脂成形が行われることになり、空洞部のない強靭な提手が構成されることになる。
【発明を実施するための最良の形態】
【０００６】
可搬式水中回転機械の提手において、下部金型と第１の上部金型との対向面間に空気が溜まらないように金型の排気口から排気させながら金型の注入口より樹脂を注入して、該提手の外郭と樹脂製握部内に鞍形または逆鞍形に曲成されたＩＣタグの装着空間部を樹脂成形し、該樹脂の固化を待って上記第１の上部金型を離型して上記ＩＣタグの装着空間部内に、該ＩＣタグの下面全体が相手面に密接するように装着させ、下部金型に第２の上部金型を取付けて金型の注入口より金型内部に空気が溜まらないように金型の排気口から排気させながら樹脂を注入し、該樹脂の固化を待って下部金型と第２の上部金型を離型することで、鞍形または逆鞍形に曲成されたＩＣタグが、樹脂製握部の長手方向に沿って傾斜状に内蔵された状態により、樹脂によって水密状に且つ強固に一体成形されている。
【実施例１】
【０００７】
図１および図２において、１は可搬式水中回転機械における提手の樹脂製握部、２は管理情報を入力したＩＣタグであり、鞍形または逆鞍形に曲成された状態で樹脂製握部１の長手方向に沿って望ましくは傾斜状に内蔵されて樹脂によって水密状に且つ強固に一体成形されている。図３ないし図６は、鞍形に曲成されたＩＣタグ２を樹脂製握部１に内蔵させた状態により一体成形する手順の一例を示したものである。先ず図３のように下部金型３と第１の上部金型４Ａとの対向面間に樹脂１Ａを注入する。樹脂１Ａの注入は上部金型４Ａに設けられた注入口５より行われるが、この樹脂１Ａの注入に伴い金型内部の空気はＩＣタグ２の傾斜に沿って上傾端部付近の排気口（図示せず）により排気せられ、空気溜りの存在しな状態で樹脂成形が行われる。樹脂１Ａの固化を待って図４に示すよう第１の上部金型４Ａを除去し、図５に示すようＩＣタグ２を鞍形に曲成した状態で固化した樹脂１Ａ上に載置し、次に図６に示すよう下部金型３上に第２の上部金型４Ｂを合せて注入口５より樹脂１Ｂを注入するのであるが、この樹脂１Ｂの注入に伴いＩＣタグ２上の空気は上傾端部付近の排気口（図示せず）より排気せられ、空気溜りの存在しな状態で樹脂成形が行われる。そして樹脂１Ｂの固化を待って下部金型３と第２の上部金型４Ｂを離型させれば、図２に示すようにＩＣタグ２を内蔵した樹脂製握部１が成形されることになる。
【図面の簡単な説明】
【０００８】
【図１】本発明提手の要部縦断正面図である。
【図２】図１のＹ−Ｙ線における縦断側面図である。
【図３】本発明提手の成形手順を例示した要部縦断側面図であって、下部金型と第１の上部金型との対向面間に樹脂を注入した状態を示す。
【図４】本発明提手の成形手順を例示した要部縦断側面図であって、図３の状態から樹脂の固化を待って第１の上部金型を除去した状態を示す。
【図５】本発明提手の成形手順を例示した要部縦断側面図であって、図４の状態に固化した樹脂上へＩＣタグを載置した状態を示す。
【図６】本発明提手の成形手順を例示した要部縦断側面図であって、下部金型上へ第２の上部金型を合せて注入口より樹脂を注入した状態を示す。
【符号の説明】
【０００９】
１      樹脂製握部
１Ａ    第１の上部金型から注入される樹脂
１Ｂ    第２の上部金型から注入される樹脂
２      ＩＣタグ
３      下部金型
４Ａ    第１の上部金型
４Ｂ    第２の上部金型
５      注入口
【図１】
0004761712.tif 000002
【図２】
0004761712.tif 000003
【図３】
0004761712.tif 000004
【図４】
0004761712.tif 000005
【図５】
0004761712.tif 000006
【図６】
0004761712.tif 000007